(57)【特許請求の範囲】
【請求項１】
カメラ付ドアホンとモニタテレビ付インターホンを接続して構成されたテレビインターホンシステムにおいて、
モニタテレビ付インターホン側には
カメラ付ドアホンからの呼出信号を検知する呼出検知回路と、
この呼出検知回路がカメラ付ドアホンから呼出音を検知した時に、呼出音を出力する呼出音発生回路と、
カメラ付ドアホンにバックトーンを出力させるバックトーン発生回路と、
カメラ付ドアホンに電源を供給して映像、音声をモニタしている途中において、上記呼出検知回路によって呼出信号が検知された時には、上記呼出音を出力させる一方、スピーカからの音声出力を遮断する制御手段とを備えたことを特徴とするテレビインターホンシステム。
【請求項２】
上記カメラ付ドアホンと上記モニタテレビ付インターホンとは、映像信号、音声信号、制御信号を多重化し、伝送する２線式信号線を介して接続構成されたものである請求項１に記載のテレビインターホンシステム。
【請求項３】
上記カメラ付ドアホンと上記モニタテレビ付インターホンとは映像信号を伝送する映像線と、音声信号、制御信号を伝送する通話線とを介して接続構成されたものである請求項１に記載のテレビインターホンシステム。
【発明の詳細な説明】
【０００１】
【産業上の利用分野】
本発明は、インターホンのモニタテレビで来客の姿をモニタ中においても、ドアホンから呼出釦を押して呼出できるテレビインターホンシステムに関する。
【０００２】
【従来の技術】
従来、テレビインターホンでは、モニタ釦を操作しドアホンのテレビカメラを作動して、玄関先の情景をモニタテレビに映し出し監視している場合においては、来客がドアホンの呼出釦を操作しても、インターホン側では呼出音が鳴動せず、カメラ付ドアホンにもバックトーンが鳴動しないようになっている。
【０００３】
また、一旦モニタ釦を操作してモニタモードに入ると、所定時間の間は、モニタテレビに来客の姿を映し出し、この時間が経過するまでは、モニタ動作を解除しない限り、来客がドアホンの呼出釦を操作しても、インターホン側では呼出音が鳴動せず、カメラ付ドアホンにもバックトーンが鳴動しないようになっている。
このために、モニタ中においては、インターホンでは来客を知ることが出来ず、また来客自身にも呼出音が鳴動されないため、通話不能と判断して、そのまま去ることがあった。
【０００４】
【発明が解決しようとする課題】
本発明はこれらの問題を解決するために提案されたもので、その目的とするところはテレビンターホンにおいて、インターホン側でモニタ釦を押して、ドアホン側の情景をモニタ中であっても、ドアホン呼出を通知し、確認できるようにしたテレビインターホンシステムを提供するものである。
【０００５】
【課題を解決するための手段】
上記目的を達成するために提案する請求項１に記載のテレビインターホンシステムは、カメラ付ドアホンとモニタテレビ付インターホンを接続して構成され、モニタテレビ付インターホン側には、カメラ付ドアホンからの呼出信号を検知する呼出検知回路と、この呼出検知回路がカメラ付ドアホンから呼出音を検知した時に、呼出音を出力する呼出音発生回路と、カメラ付ドアホンにバックトーンを出力させるバックトーン発生回路と、カメラ付ドアホンに電源を供給して映像、音声をモニタしている途中において、上記呼出検知回路によって呼出信号が検知された時には、上記呼出音を出力させる一方、スピーカからの音声出力を遮断する制御手段とを備えた構成となっている。
【０００６】
また、請求項２に記載のテレビインターホンシステムは、カメラ付ドアホンとモニタテレビ付インターホンとは、映像信号、音声信号、制御信号を多重化し、伝送する２線式信号線を介して接続構成されている。
更に、請求項３に記載のテレビインターホンシステムは、カメラ付ドアホンとモニタテレビ付インターホンとは映像信号を伝送する映像線と、音声信号、制御信号を伝送する通話線とを介して接続構成されている。
【０００７】
【作用】
請求項１に記載のテレビインターホンシステムによれば、インターホンのモニタ釦を操作し、カメラ付ドアホンのテレビカメラに電源を供給して、モニタテレビに映像を映し出している最中において、来客がドアホンの呼出釦を操作すると、インターホン側の呼出検知回路がこれを検知する。
すると、制御手段は呼出音発生回路とバックトーン発生回路を作動し、その後スピーカからの音声出力を遮断する。
【０００８】
この結果、インターホンからは呼出音を出力し、カメラ付ドアホンではバックトーンが出力される。また、スピーカからの音声出力は遮断されるので、ドアホンからの音声は出力されず、モニタテレビに映し出される来客の映像を確認しながら、呼出音が明瞭に聞き取れる。
請求項２に記載のテレビインターホンによれば、ドアホンとインターホンとの間では２線式信号線を通じて、多重伝送により音声、映像、制御信号が送受され、請求項３に記載のテレビインターホンによれば、ドアホンとインターホンとの間では映像線を介して映像信号が、また通話線を介して音声信号や制御信号が送受される。
【０００９】
【実施例】
以下に本発明の一実施例を図面に従って説明する。
図１は本発明のテレビインターホンの要部を示したブロック図、図２はドアホンとインターホンとの間の２線式信号線に生じる線間電圧の変化図である。
テレビインターホンＡは、ドアホンを呼出すための呼出釦１０、カメラ付ドアホン（不図示）のテレビカメラに電源を供給して、モニタテレビ（不図示）に映像を映し出すためのモニタ釦１１、ドアホンとの通話時に点灯する通話表示灯１２を設けており、制御手段としてはマイクロコンピュータ（ＣＰＵ）を用いている。また、インターホンＡの内部電源、ドアホンのテレビカメラに電源を供給するために電源回路部８を設け、モニタテレビを駆動するためにテレビ回路部９を設けている。
【００１０】
１はカメラ付ドアホンからの呼出信号を検知する呼出検知回路、２は呼出音を発生するための呼出音発生回路、３はドアホンの呼出操作時にドアホン側に出力させるバックトーンを発生するバックトーン発生回路、４はＣＰＵで構成された制御手段、５はマイクＭｉｃを通じて入力された音声を変調回路部６１に送出し、復調回路部６２によって復調された音声信号をスピーカＳｐより出力させるための通話制御回路であり、音声信号の出力レベルを制御する音声増幅回路（不図示）を含んでいる。
【００１１】
この例では、インターホンＡとドアホンとの間には２線化回路７を設けて、音声信号、制御信号を２線式信号線を通じてドアホン側に送出しており、一方ドアホン側からは、映像信号、音声信号、制御信号が送出されるようになっている。通話時にインターホンＡとドアホンとの間を伝送される音声信号は、変調回路部６１によってドアホン側に変調されて送出され、またドアホンから送出されて来た音声信号は復調回路部６２によって復調されている。
【００１２】
次いで、本発明に係るテレビインターホンシステムの基本動作を説明する。インターホンＡのモニタ釦１１を操作すると、２線式信号線の線間電圧は待機時の１５Ｖから６Ｖに低下するので、制御手段４はこの状態を検知し、電源回路部８を作動し、２線式信号線Ｌを通じて、カメラ付ドアホンのテレビカメラに電源を供給する。この結果、ドアホンのテレビカメラは映像信号を出力し、２線式信号線Ｌを通じて送出されて来た映像信号は、テレビ回路部９に入力され、モニタテレビ（不図示）に映像となって写し出される。
【００１３】
このようなモニタテレビによるモニタ表示は、予め設定された時間、例えば３０秒程度継続して行われるが、その最中に来客がドアホンの呼出釦１０を押すと、２線式信号線Ｌの線間電圧は、１５Ｖより０．３Ｖ程度低下し、この状態は呼出検知回路１で検知される。
すると、制御手段４は呼出音発生回路２、バックトーン発生回路３を作動し、通話制御回路５に制御信号を出力して、そこに内蔵された音声信号増幅回路（不図示）にミュート信号を送出して、音声信号の出力レベルを低下させる。
この結果、インターホンＡのモニタテレビには、映像が継続して映し出され、インターホンＡのスピーカからは呼出音が出力されるが、スピーカからの音声信号がミュートされる。また、このときドアホンからはインターホンＡに対する呼出を確認するためのバックトーンが出力される。
【００１４】
このようなインターホンによれば、インターホンＡのモニタテレビが映像をモニタしている最中であっても、ドアホンからの呼出が出来、予め設定された時間、例えば、３０秒内に再度モニタ釦１１を操作すると、更にモニタ表示がなされ、ドアホンからの呼出が可能となる。そして、３０秒を経過すると、インターホンは待機状態に戻る。
【００１５】
図３は、本発明のインターホンシステムにおける動作遷移図を示している。
【００１６】
【効果】
以上に説明したように本発明によれば、インターホンのモニタテレビにドアホンからの映像をモニタ表示している最中であっても、ドアホンからインターホンへの呼出に対して呼出音を出力させるとともに、ドアホンの呼出に対してはバックトーンを出力できる。このため、モニタ中においても、モニタ動作を解除しなくても、インターホン側では、呼出音によってドアホンからの呼出が確認でき、ドアホンではバックトーンを出力することによって、耳で呼出の確認が出来る。
【図面の簡単な説明】
【図１】本発明にかかるテレビンインターホンシステムのモニタテレビ付インターホンの内部回路を示したブロック図である。
【図２】本発明のテレビインターホンシステムの２線式信号線に生じる線間電圧の変化を示す図である。
【図３】本発明のテレビインターホンシステムにおける動作遷移図である。
【符号の説明】
Ａ    モニタテレビ付インターホン
Ｌ    ２線式信号線
１    呼出検知回路
２    呼出音発生回路
３    バックトーン発生回路
４    制御手段
【図１】
0003585179.tif 000002
【図２】
0003585179.tif 000003
【図３】
0003585179.tif 000004